(57)【特許請求の範囲】
【請求項１】
チケットを確認する改札機において、
前記チケットの投入口と、
前記チケットの受取口と、
制御装置と、
電波の到達・可聴範囲の広い第１のアンテナと、電波の到達・階調範囲の狭い第２のアンテナとを有し、利用者の媒体へ呼び出しを送信する通信手段とを備え、
前記制御装置は、前記通信手段が前記第１のアンテナを介した呼び出しに対する前記利用者の媒体からの応答を受信した場合に、前記利用者の媒体からチケットの情報を受信し、前記チケットの情報の照会をセンタ装置へ依頼し、その照会の結果前記チケットが正当である場合に、前記チケットの情報に基づいて印字データを生成し、前記印字データを前記制御装置内に格納し、
前記制御装置は、前記第２のアンテナを介した呼び出しに対する前記利用者の媒体からの応答を受信した場合に、前記制御装置内に格納された前記印字データを印字機を用いて紙媒体又はプラスチック媒体に印字し、前記紙媒体又はプラスチック媒体を前記受取口へ送ることを特徴とする改札機。
【請求項２】
前記通信手段は、前記投入口に前記チケットが投入された場合に、前記利用者の媒体への呼び出しを中止することを特徴とする請求項１記載の改札機。
【請求項３】
さらに、センサを備え、
前記通信手段は、前記センサによって前記利用者が感知された場合に、前記第２のアンテナを介して前記利用者の媒体の呼び出しを試みることを特徴とする請求項１又は２記載の改札機。
【請求項４】
さらに、前記利用者の通過を制御するゲートを備え、
前記制御装置は、前記印字データを印字機を用いて前記紙媒体又はプラスチック媒体に印字した後に、前記ゲートを開くことを特徴とする請求項１から３の何れか記載の改札機。
【請求項５】
前記通信手段は、前記通信手段が前記第１のアンテナを介した呼び出しに対する前記利用者の媒体からの応答を受信した場合に、前記利用者の媒体ごとに付与された識別情報と前記利用者の媒体が当該改札機と同期するための同期クロックを、前記利用者の媒体へ送信することを特徴とする請求項１から４の何れか記載の改札機。
【請求項６】
前記通信手段は、前記第２のアンテナを介して前記利用者の媒体へ前記チケットの情報を要求し、その要求に対して前記利用者の媒体から前記同期クロックによる同期の結果と前記チケットの情報とを受信することを特徴とする請求項５記載の改札機。
【請求項７】
前記制御装置は、前記印字データを前記印字機を用いて前記紙媒体又はプラスチック媒体に印字した後に、前記利用者の媒体に前記チケットの情報の廃棄を要求することを特徴とする請求項１から６の何れか記載の改札機。
【請求項８】
前記利用者の媒体は、ＩＣカードまたはモバイル端末であることを特徴とする請求項１から７の何れか記載の改札機。
【請求項９】
前記制御装置は、前記通信手段が前記利用者の媒体と通信を確立した場合に、音声ガイダンスのための音声データ又は前記利用者の媒体に記憶された音声データを読み出すためのコマンドを前記利用者の媒体へ送信することを特徴とする請求項１から８の何れか記載の改札機。
【請求項１０】
前記制御装置は、前記通信手段が前記第１のアンテナを介した呼び出しに対する前記利用者の媒体からの応答を受信した場合に、前記利用者の媒体から前記チケットの情報を受信し、前記チケットの情報の照会をセンタ装置へ依頼し、その照会の結果前記チケットが正当である場合に、前記チケットの情報に基づいて前記印字データと共に磁気記録データを生成し、前記印字データと共に前記磁気記録データを前記制御装置内に格納し、
前記制御装置は、前記第２のアンテナを介した呼び出しに対する前記利用者の媒体からの応答を受信した場合に、前記制御装置内に格納された前記印字データを前記印字機を用いて前記紙媒体又はプラスチック媒体に印字すると共に、前記制御装置内に格納された前記磁気記録データを磁気記録機を用いて前記紙媒体又はプラスチック媒体に書き込むことを特徴とする請求項１から９の何れか記載の改札機。
【発明の詳細な説明】
【０００１】
【発明の属する技術分野】
本発明は無線通信を用いた電子決済とサービス提供が可能な無線装置に関する。
【０００２】
【従来の技術】
図９に示す従来技術の改札機１は、磁気ヘッド２、印字機３、投入口とペーパーハンドラ４１、ペーパーハンドラと受け取り口４２、回収箱５、制御装置６、光センサの受光機７、光源７１、および電動ゲート８１、８２を有する。
【０００３】
従来の技術を用いた改札機では、入場処理では、投入口４１より投入された切符は、磁気ヘッド２で課金情報等を読み出し正当な切符と判断されると入轍に相当するデータの磁気的追記を受ける。その後、印字機３で入場時刻等の印字と穿孔等の機械的入轍の後、受け取り口４２に送られる。
【０００４】
この間に入場者は開門されている電動ゲート８１を通過し光センサ７を遮る。改札機１はこの時、電動ゲート８２を閉門するが、上述の切符が正当と判断されれば閉門をしない。上述の切符が正当でない場合は閉門のままアラームを鳴り続けて入場者ならびに周囲に正当でない旨通知する。
【０００５】
出場処理では、投入口４１より投入された切符は、磁気ヘッド２で課金情報等を読み出し正当な切符と判断されるとペーパーハンドラ４２から回収箱５に回収される。不正な切符と判断されると受け取り口４２に送られる。
【０００６】
この間に入場者は開門されている電動ゲート８１を通過し光センサ７を遮る。改札機１はこの時、電動ゲート８２を閉門するが、上述の切符が正当と判断されれば閉門をしない。上述の切符が正当でない場合は閉門のままアラームを鳴り続けて入場者ならびに周囲に正当でない旨通知する。
【０００７】
【発明が解決しようとする課題】
従来の改札機では裏面に磁気テープが貼られた紙片を改札機に投入して入場する。インターネットや所謂ｉ−ｍｏｄｅと呼ばれるネットワーク上で電子決済により購入された切符のうち、携帯電話等のモバイル端末に電子的に貯えられた所謂電子チケットについて一旦入場前に発券する手続きをとり発券の後、改札機に発券された切符を投入して入場する必要が有った。
【０００８】
本発明の目的は、電子決済で約定されたサービスについて、約定の結果携帯端末に格納された電子チケットと自動改札機と利用者の３者のみの間で、サービスを享受すべき生身の利用者に簡便に確実に提供することにある。
【０００９】
【課題を解決するための手段】
本発明では、所謂モバイル端末と改札機が具備する無線等の非接触の通信手段により電子チケットの授受を行う。改札機は、磁気化された紙片ないし磁気化されたロール紙ないしプラスチック片券を格納する手段と磁気化された紙片ないし磁気化されたロール紙を適当な大きさに切り形を整える手段を具備する。改札機は、前述の電子チケットの正当性を確認して発券する。つまり、本発明は、改札機の通信手段が、電波の到達・可聴範囲の広い第１のアンテナと、電波の到達・階調範囲の狭い第２のアンテナとを有し、制御装置が、通信手段が第１のアンテナを介した呼び出しに対する利用者の媒体からの応答を受信した場合に、利用者の媒体からチケットの情報を受信し、チケットの情報の照会をセンタ装置へ依頼し、その照会の結果チケットが正当である場合に、チケットの情報に基づいて印字データを生成し、印字データを制御装置内に格納し、また、制御装置が、第２のアンテナを介した呼び出しに対する利用者の媒体からの応答を受信した場合に、制御装置内に格納された印字データを印字機を用いて紙媒体又はプラスチック媒体に印字し、紙媒体又はプラスチック媒体を受取口へ送ることを特徴とする。
【００１０】
【発明の実施の形態】
本発明の第一の実施の形態を図１〜６に示す。図1において、改札機１は、磁気ヘッド２、印字機３、投入口とペーパーハンドラ４１、ペーパーハンドラと受け取り口４２、５は回収箱、制御装置６、光センサの受光機７、光源７１、および電動ゲート８１、８２を有する。非接触の通信手段９は、ベースバンド制御回路とＲＦ９１、アンテナ９２、ストッカ１０、およびトリマ１１を有する。
【００１１】
電子チケットを格納したモバイル端末を所持する入場者が改札機１に接近するとモバイル端末の非接触の通信手段と非接触の通信手段９がリンクを確立する。リンクが確立されると改札機１は順次モバイル端末に音声ガイダンスの為の音声データ、もしくは携帯端末に蓄積された音声データを選び発声させるコマンドを送付する。この転送を受けてモバイル端末は発声し、発声された音声データの誘導により入場者は順次改札機に近づき入場するように促され、音声ガイダンスを実現する。音声データは合成音でも入場者や第三者の肉声を録音の上合成した音でも構わない。
【００１２】
リンク確立の後、改札機１はモバイル端末との間で電子チケットの参照を行い、取得した電子チケットの情報をネットワークを通じてセンタに照会する。照会の結果正当なチケットと確認すると改札機１の制御装置６は発券準備として印字データと磁気記録するデータを生成し制御装置６内に格納する。
【００１３】
発券準備は入場の制御とは独立にリンクが確立されたモバイル端末毎に随時行われる。
【００１４】
音声ガイダンスに従い入場者が改札機に入ると光センサ７が人の入場を感知する。感知後、改札機１は入場者ないしモバイル端末の特定に移る。改札機１は非接触の通信手段９を用いて近傍のモバイル端末の呼出しを試みる。試行中に切符が投入口４１より投入されると呼出しを中止する。入場者がさらに奥に進むと改札機１は入場者が切符を投入しないものとみなし試行を続ける。
【００１５】
呼出しへの応答を得た時点で事前に準備しておいた印字データと磁気記録するデータを印字機３と磁気ヘッド２にそれぞれ送る。ストッカ１０には磁性体を塗布された紙片ないし磁性体を塗布されたロール紙ないし磁性体を塗布プラスチック片券が格納されており、ストッカ１０から所要枚数分の磁性体を塗布された紙片ないし磁性体を塗布されたロール紙ないし磁性体を塗布プラスチック片券が送り出され、トリマー１１で整形された後、磁気ヘッド２に送られる。磁気ヘッド２では磁気データの書き込み、印字機３で印字データに基づく表書き及び裏書きと穿孔が行われ、ペーパーハンドラ４２から受け取り口に送り出され入場者の受け取りを待つ。
【００１６】
印字機３での印刷後、改札機１の制御装置６は電動ゲート８２を開き入場者の通過を許す。
【００１７】
以上の説明中、チケットは能動的に動作するモバイル端末に格納されている事を前提としているが、例えば非接触形ＩＣカードに代表される受動的な動作をするメディアにチケットが格納されていても本発明のサービス提供装置は正常に動作する。
【００１８】
本発明の改札機１は非接触形ＩＣカードを所持する入場者を改札機１のゲート内に検知すると非接触の通信手段９から電波を放射する。非接触形ＩＣカードを所持する入場者は非接触形ＩＣカードを非接触の通信手段９にかざす。この時、非接触の通信手段９から放射されている電波の電力が非接触形ＩＣカードを活性させ非接触形ＩＣカードは内部に格納している電子チケットの情報を電波に乗せて送信し、非接触の通信手段９で受信する。
【００１９】
以後は、モバイル端末の場合と同様に照合等を経て発券する。
【００２０】
図２に第一の実施の形態のゲートの外観を示す。非接触通信手段９のアンテナ９２はアンテナ９２ａ，９２ｂの計２個具備する。アンテナ９２ａは改札機１の見通しの良い位置に装着する。対してアンテナ９２ｂは改札機１の入場者の通路に面する側面に装着する。改札機１はアンテナ９２ａを経由して入場者の携帯端末とのリンクを確立する。改札機１はアンテナ９２ｂを用いて入場者の特定を行う。
【００２１】
図３に第一の実施の形態の電波到達・可聴範囲を示す。図中、改札機１は２台あり１ａ，１ｂのうち１ｂがアンテナ９２ａ，ｂを具備する。第一の実施の形態において非接触の通信手段９のベースバンド制御回路とＲＦ９１の出力と入力感度に相当する電波の到達範囲と可聴範囲はほぼ等しい。１０１ａ，１０１ｂは電波の到達・可聴範囲である。それぞれ改札機１ａを中心に電波の到達・可聴範囲１０１ａは１０ｍ、電波の到達・可聴範囲１０１ｂは１ｍである。
【００２２】
図４に第一の実施の形態の電波到達・可聴範囲と携帯端末との関係を示す。図中１０２ａ，ｂ，ｃは入場者の携帯端末の位置で入場者の位置と等価である。入場者が改札機１ａの電波の到達・可聴範囲１０１ａ内に入った位置は入場者の携帯端末の位置１０２ａである。以後、入場者が電波の到達・可聴範囲１０１ａ内にいる限り改札機１ａは入場者の携帯端末とリンクを確立し維持する。
【００２３】
音声ガイダンスに促され入場者は改札機１ａに接近する。改札機１ａは電波の到達・可聴範囲１０１ｂでの呼びかけを開始し入場者の通過に備える。入場者が改札機１ａに接近し、入場者の携帯端末の位置１０２ｂに達すると、改札機１ａの呼びかけに入場者の携帯端末が応答する。この応答により改札機１ａは入場者を特定し発券する。発券後入場者は改札機１ａを通過し、入場者の携帯端末の位置１０２ｂを経て改札機１ａは電波の到達・可聴範囲１０１ａの圏外に出て行く。改札機１ａは入場者が入場者の携帯端末の位置１０２ｂ〜１０２ｃを移動中に後処理として携帯端末の電子チケットを廃棄する。
【００２４】
図５に第一の実施の形態の複数の端末の入場処理を示す。図中、端末は３台登場するが、改札機１ａが一時に処理できる端末の数は固有のアドレス等識別子やプロトコルに依存し３台に限定されるものではない。図は携帯端末と改札機間の通信やそれぞれの処理を発生順に時系列で示したものの一部である。よって第１端末とのリンクは既に確立されている。
【００２５】
改札機１ａの電波到達・可聴範囲に第２端末が舞い込み改札機１ａは検索と呼出しを行う。これに第２端末が応答したのを受けてリンク確立を行う。この際、リンク確立後の第２端末の識別子や同期クロック情報が転送される。これを受けて第２端末はクロックを改札機１ａに同期させてその旨応答する。応答の中には電子チケットの情報等が含まれる。一連の通信によって改札機１ａは第２端末の呼び込みに成功する。これを受けて改札機１ａは第２端末向けのサービスの準備を行う。
【００２６】
サービスの準備として、取得した電子チケットの情報をネットワークを通じてセンタに照会する。照会の結果、正当なチケットであると確認すると改札機１ａは発券準備として印字データと磁気記録するデータを生成して格納する。
【００２７】
同様の手順で第３端末が呼び込まれ、サービスの準備が行われる。
【００２８】
改札機１ａは、呼び込みが一段落したり、タイマ割り込み等によりあらかじめ決められた一定時間の経過を認識すると、アンテナ９２ｂを用いて近傍にいずれかの端末が接近していないかセンスする。また、光センサ８を入場者が横切った時無条件にセンスする。
【００２９】
改札機１ａはアンテナ９２ｂから、先ず第１端末へのチケット要求を行う。この時点で第一端末が近傍に存在しないので第１端末はこのチケット要求を受信せず、結果として応答できない。改札機１ａは第１端末からの応答がないので第１端末が近傍にいない事を認識する。
【００３０】
続いて、改札機１ａは第２端末へのチケット要求を行う。第２端末も近傍にいないので改札機１ａは第１端末からの応答は無く、第１端末が近傍にいない事を認識する。
【００３１】
引き続き、改札機１ａは第３端末へのチケット要求を行う。第３端末は近傍におり、改札機１ａは第３端末から応答を得る。こうして改札機１ａは第３端末が近傍にいる事を認識する。この認識処理の前後、いずれかの時点で光センサ８を通過しており、入場者が第３端末の所持するものと認識して発券処理を行う。
【００３２】
改札機１ａは発券処理を完了すると、第３端末に対してチケット破棄を要求し、第３端末上の電子チケットを破棄した旨、第３端末から応答を受け一連の改札処理を終える。この終了によって第３端末とのリンクを切断する。
【００３３】
図６に第１の実施の形態のネットワーク構成を示す。図中１３はネットワーク、１４ａは決済銀行の情報処理装置、１４ｂは信販会社の情報処理装置、１４ｃはサービス提供者の情報処理装置、１４１は情報処理装置のコンピュータ及びネットワーク接続装置、１４２はストレージである。
【００３４】
図中の改札機１ａはサービス提供者の情報処理装置１４ｃに電子チケットの照会を行い正当なチケットか否か判定する。改札機１ａにおいてサービスの提供を終了ないしサービスの提供を対価とするチケットの発行がなされると、改札機１ａはネットワーク１３を通じてサービス提供者の情報処理装置１４ｃに当該電子チケットが使用済みである旨通知する。この通知を受けてサービス提供者の情報処理装置１４ｃは、ストレージ１４２の当該チケットのレコードに使用済みを意味するデータを付加する。
【００３５】
電子チケットの予約時の約款により、代金の決済手法が前払いないしデビット、割賦ないしクレジット等多岐に亘る。本ネットワークにおいて、いずれの約款にも対応する。前払いないしデビットの場合は電子チケットの販売時に決済銀行において決済処理がなされる。割賦ないしクレジットの場合、先のストレージ１４２の当該チケットのレコードに使用済みを意味するデータが付加された時点で信販会社に利用金額が通知され、信販会社との間で決済を行う。
【００３６】
図７に本発明の第２の実施の形態を示す。図７に示す自動販売機１９は、冷凍機及びヒータ１５、取り出し口の受け皿１６、表示装置及び選択器でタッチパネル付き液晶１７、および紙幣や硬貨の認識と計数と釣り銭の払出しを行う現金授受ユニット１８を有する。
【００３７】
自動販売機１９が、例えば缶ジュースの自動販売機である場合、ストッカ１０には商品の缶ジュースが貯えられ、冷凍機及びヒータ１５がストッカ１０を保冷ないし保温し、貯えられている缶ジュースを適温に保っている。
【００３８】
購買者が携帯端末を持って自動販売機１９に接近すると、自動販売機１９は光センサ８により人ないし動物の接近を感知する。続いて、自動販売機１９は非接触通信手段９を用いて携帯電話の呼び込みを行い購買者の携帯端末とリンクを確立する。自動販売機において一時に確立するリンクは一つに限定する。携帯端末は自動販売機１９のチケット要求に従い、電子マネー、クレジットカード番号、電子チケット、お得意様番号のいずれかを応答する。
【００３９】
お得意様番号は、あらかじめサービス提供者により登録されている購買者に対して付与される番号である。お得意様番号でのサービスの利用時には、サービス提供者と購買者が取り決めた約款に基づき決済がなされる。
【００４０】
自動販売機１９は、得られた電子マネーないし金融機関のデビットカード番号、クレジットカード番号、電子チケット、お得意様番号についてセンタに照会を行い、正当でかつサービス提供代金以上の残高が有る事を確認し、サービスの提供に移行する。
【００４１】
サービスの提供に移行すると、自動販売機１９は表示装置及び選択器１７に商品を並べて表示し購買者選択を待つ。購買者が商品を選択し表示装置及び選択器１７を触る事で自動販売機１９は選択された商品を知り、取り出し機４３が商品をストッカ１０から取り出し口の受け皿１６まで運ぶ。
【００４２】
この時点で、自動販売機１９はセンタに対して商品の販売の完了と決済の依頼、ストッカ１０内の在庫状況を通知する。
【００４３】
特に、電子マネーおよび金融機関のデビットカード番号での利用では、利用代金以上を電子的に投入する事が可能である。自動販売機１９の問い合せ時に、電子マネーおよび金融機関のデビットカード番号に加えて投入代金を指定する事で余分なお金の投入をする。
【００４４】
商品を受け取り、自動販売機の払い戻しレバーにより余分なお金が払い戻される。この払い戻しは、携帯端末からのリンク切断要求や不意のリンク切断によっても行われる。リンクが切断されると、自動販売機１９は表示装置及び選択器１７を消灯ないし商品ができない状態とし、現金授受ユニット１８から現金を払い出す。現金授受ユニット１８は現金の授受のたびに、センタに内部に貯えている紙幣および硬貨の枚数を通知する。
【００４５】
図８に本発明の第３の実施の形態を示す。図８は、本発明の自動券売機２０を示す。
【００４６】
自動券売機２０は、例えば駅の自動券売機、空港のチェックインカウンタ横の自動販売機、あるいは遊園地のアトラクションの自動券売機である。
【００４７】
購買者が携帯端末を持って自動券売機２０に接近すると、自動券売機２０は光センサ８により人ないし動物の接近を感知する。続いて、自動券売機２０は非接触通信手段９を用いて携帯電話の呼び込みを行い購買者の携帯端末とリンクを確立する。自動券売機２０において一時に確立するリンクは一つに限定する。携帯端末は自動券売機２０のチケット要求に従い、電子マネー、クレジットカード番号、電子チケット、お得意様番号のいずれかを応答する。
【００４８】
お得意様番号はあらかじめサービス提供者により登録されている購買者に対して付与される番号である。お得意様番号でのサービスの利用時には、サービス提供者と購買者が取り決めた約款に基づき決済がなされる。
【００４９】
自動券売機２０は、得られた電子マネーないし金融機関のデビットカード番号、クレジットカード番号、電子チケット、お得意様番号についてセンタに照会を行い、正当でかつサービス提供代金以上の残高が有る事を確認し、サービスの提供に移行する。
【００５０】
サービスの提供に移行すると、自動券売機２０は表示装置及び選択器１７に商品を並べて表示し、購買者による選択を待つ。購買者が事前に電子チケットとして座席の予約を行っていた場合は予約番号や予約内容を表示する。購買者が発券したい商品を選択し表示装置及び選択器１７を触る事で、自動券売機２０は選択された商品を知り、発券する。
【００５１】
この時点で、自動販売機１９はセンタに対して発券の完了と決済の依頼、ストッカ１０内の状況を通知する。
【００５２】
特に、電子マネーおよび金融機関のデビットカード番号での利用では、利用代金以上を電子的に投入する事が可能である。自動券売機２０の問い合せ時に、電子マネーおよび金融機関のデビットカード番号に加えて投入代金を指定する事で余分なお金を投入できる。
【００５３】
商品を受け取り、自動販売機の払い戻しレバーにより余分なお金が払い戻される。この払い戻しは、携帯端末からのリンク切断要求や不意のリンク切断の際にも行われる。リンクが切断されると、自動券売機２０は、表示装置及び選択器１７を消灯ないし商品ができない状態にし、現金授受ユニット１８から現金を払い出す。現金授受ユニット１８は現金の授受のたびにセンタに内部に貯えている紙幣および硬貨の枚数を通知する。
【００５４】
【発明の効果】
本発明により、電子決済で約定されたサービスについて、約定の結果携帯端末に格納された電子チケットと自動改札機と利用者の３者のみの間で、サービスを享受すべき生身の利用者に簡便に確実に提供する事が可能となった。
【００５５】
また、利用者は自動改札機で入場した際に発券された切符を所持する事で、電子チケットを認識できない通常の改札機からの出場が可能になった。
【図面の簡単な説明】
【図１】第一の実施の形態である。
【図２】第一の実施の形態のゲートの外観である。
【図３】第一の実施の形態の電波到達・可聴範囲である。
【図４】第一の実施の形態の電波到達・可聴範囲と携帯端末との関係である。
【図５】第一の実施の形態の複数の端末の入場処理である。
【図６】第１の実施の形態のネットワーク構成である。
【図７】本発明の第２の実施の形態である。
【図８】本発明の第３の実施の形態である。
【図９】従来の技術である。
【符号の説明】
１・・・改札機、２・・・磁気ヘッド、３・・・印字機、
４１・・・投入口とペーパーハンドラ
４２・・・ペーパーハンドラと受け取り口
５・・・回収箱、６・・・制御装置、７・・・光センサの受光機
７１・・・光源、８１，８２・・・電動ゲート
９・・・非接触の通信手段、９１・・・ベースバンド制御回路とＲＦ
９２・・・アンテナ、１０・・・ストッカ、１１・・・トリマ
１３・・・ネットワーク
１４ａ・・・決済銀行の情報処理装置
１４ｂ・・・信販会社の情報処理装置
１４ｃ・・・サービス提供者の情報処理装置
１４１・・・情報処理装置のコンピュータ及びネットワーク接続装置
１４２・・・ストレージ、１５・・・冷凍機及びヒータ
１６・・・取り出し口の受け皿
１７・・・表示装置及び選択器でタッチパネル付き液晶
【図１】
0003818045.tif 000002
【図２】
0003818045.tif 000003
【図３】
0003818045.tif 000004
【図４】
0003818045.tif 000005
【図５】
0003818045.tif 000006
【図６】
0003818045.tif 000007
【図７】
0003818045.tif 000008
【図８】
0003818045.tif 000009
【図９】
0003818045.tif 000010